(57)【特許請求の範囲】
【請求項１】
第１のノードにある装置であって、
ワイヤレスデータまたは信号を第２のノードに送信するように動作可能な送信手段と、
構成された送信時間間隔（ＴＴＩ）の長さに基づいて、１つまたは複数の確保期間が、前記送信手段によって送信される２つの連続するデータまたは信号の間で設定されているか否かを判定するように動作可能な回路と、
を備え、
前記回路は、
前記構成されたＴＴＩの長さが所定の閾値以下である場合に、前記１つまたは複数の確保期間が、２つの連続するデータまたは信号の間で設定されていると判定するようにさらに動作可能である、
第１のノードにある装置。
【請求項２】
前記回路が、
前記２つの連続するデータまたは信号のタイプ、および、前記２つの連続するデータまたは信号の間の電力の差のうちの少なくとも１つに基づいて、前記１つまたは複数の確保期間が、前記２つの連続するデータまたは信号の間で設定されているか否かを判定するようにさらに動作可能である、
請求項１に記載の装置。
【請求項３】
前記回路が、
前記２つの連続するデータまたは信号のタイプが異なる場合に、前記２つの連続するデータまたは信号の間で１つまたは複数の確保期間が設定されていると判定し、
前記２つの連続するデータまたは信号の間に電力の差がない場合、前記２つの連続するデータまたは信号の間で１つまたは複数の確保期間が設定されていないと判定し、または
前記２つの連続するデータまたは信号のタイプが異なり、かつ、前記２つの連続するデータまたは信号の間に電力の差がない場合に、１つまたは複数の確保期間が前記２つの連続するデータまたは信号の間で設定されていないと判定するようにさらに動作可能である、
請求項２に記載の装置。
【請求項４】
前記回路が、
前記１つまたは複数の確保期間が、２つの連続するデータまたは信号の間で設定されている場合に、前記２つの連続するデータまたは信号の各々の直交周波数分割多重化（ＯＦＤＭ）または単一キャリア周波数分割多元接続（ＳＣ−ＦＤＭＡ）シンボル境界を、閾値以上の長さのＴＴＩを有する他のデータまたは信号のものと位置合わせさせないようにさらに動作可能である、
請求項１に記載の装置。
【請求項５】
前記回路が、
前記１つまたは複数の確保期間が、２つのデータまたは信号の間で設定されている場合に、前記２つの連続するデータまたは信号の各々のＯＦＤＭまたはＳＣ−ＦＤＭＡシンボル境界を、閾値以上の長さのＴＴＩを有する他のデータまたは信号のものと位置合わせさせるようにさらに動作可能である、
請求項１に記載の装置。
【請求項６】
前記回路が、
前記２つの連続するデータまたは信号の間で設定されている期間について１つのＯＦＤＭまたはＳＣ−ＦＤＭＡシンボルを設定するようにさらに動作可能である、
請求項５に記載の装置。
【請求項７】
前記送信手段が、
前記２つの連続するデータまたは信号のうちの１つのデータまたは信号がサウンディング参照信号（ＳＲＳ）を含む場合に、前記１つのデータまたは信号内で復調参照信号（ＤＭＲＳ）を送信することなく、前記１つのデータまたは信号内でユーザデータを送信するように動作可能である、
請求項１に記載の装置。
【請求項８】
前記回路が、
ｅＮｏｄｅＢ（ｅＮＢ）が、前記確保期間のうちの少なくとも１つの開始時間、および、データまたは信号のうちの少なくとも１つの開始時間のうちの少なくとも１つを示すようにするようにさらに動作可能である、
請求項１に記載の装置。
【請求項９】
前記回路が、
参照信号（ＲＳ）シンボルと重複しない前記確保期間を設定するようにさらに動作可能である、
請求項１に記載の装置。
【請求項１０】
前記回路は、各ＴＴＩの長さが閾値以下である場合に、
求められるまたは所望のデータまたは信号が連続するデータまたは信号の間で送信されない前記１つまたは複数の確保期間を設定するステップ、
後続のデータまたは信号を送信する前に、求められるまたは所望のデータまたは信号が送信されない前記１つまたは複数の確保期間を設定するステップ、および、
後続のデータまたは信号が送信された後に、求められるまたは所望のデータまたは信号が送信されない前記１つまたは複数の確保期間を設定するステップ、のうちの少なくとも１つを実施するようにさらに動作可能である、
請求項１に記載の装置。
【請求項１１】
前記求められるまたは所望のデータまたは信号は、送信電力レベルが所定の要件よりも高いデータまたは信号である、
請求項１０に記載の装置。
【請求項１２】
前記２つの連続するデータまたは信号は、サウンディング参照信号（ＳＲＳ）、ＴＴＩの復調参照信号（ＤＭＲＳ）およびＴＴＩのユーザデータのうちの少なくとも１つを含む、
請求項１に記載の装置。
【請求項１３】
前記構成されたＴＴＩは、サブフレーム内の短縮ＴＴＩ、および、１つまたは複数のサブフレームにまたがるＴＴＩのうちの少なくとも１つを含む、
請求項１に記載の装置。
【請求項１４】
第１のノードにおいて実施される方法であって、
ワイヤレスデータまたは信号を第２のノードに送信するステップと、
構成された送信時間間隔（ＴＴＩ）の長さに基づいて、１つまたは複数の確保期間が、送信手段によって送信される２つの連続するデータまたは信号の間で設定されているか否かを判定するステップと、
を含み、
前記判定するステップは、
前記構成されたＴＴＩの長さが所定の閾値以下である場合に、前記１つまたは複数の確保期間が、２つの連続するデータまたは信号の間で設定されていると判定することをさらに含む、
第１のノードにおいて実施される方法。
【請求項１５】
前記判定するステップは、
前記２つの連続するデータまたは信号のタイプ、および、前記２つの連続するデータまたは信号の間の電力の差のうちの少なくとも１つに基づいて、１つまたは複数の確保期間が、前記２つの連続するデータまたは信号の間で設定されているか否かを判定することをさらに含む、
請求項１４に記載の方法。
【請求項１６】
前記判定するステップは、
前記２つの連続するデータまたは信号のタイプが異なる場合に、前記２つの連続するデータまたは信号の間で１つまたは複数の確保期間が設定されていると判定すること、
前記２つの連続するデータまたは信号の間に電力の差がない場合、前記２つの連続するデータまたは信号の間で１つまたは複数の確保期間が設定されていないと判定すること、または、
前記２つの連続するデータまたは信号のタイプが異なり、かつ、前記２つの連続するデータまたは信号の間に電力の差がない場合に、１つまたは複数の確保期間が前記２つの連続するデータまたは信号の間で設定されていないと判定することをさらに含む、
請求項１５に記載の方法。
【請求項１７】
前記判定するステップは、
前記１つまたは複数の確保期間が、２つの連続するデータまたは信号の間で設定されている場合に、前記２つの連続するデータまたは信号のシンボルを、閾値以上の長さのｓＴＴＩを有する他のデータまたは信号のシンボルと位置合わせさせないことをさらに含む、
請求項１４に記載の方法。
【請求項１８】
前記送信するステップは、
前記２つの連続するデータまたは信号のうちの１つのデータまたは信号がサウンディング参照信号（ＳＲＳ）を含む場合に、前記１つのデータまたは信号内で復調参照信号（ＤＭＲＳ）を送信することなく、前記１つのデータまたは信号内でユーザデータを送信することをさらに含む、
請求項１４に記載の方法。
【請求項１９】
前記判定するステップは、
参照信号（ＲＳ）シンボルと重複しない前記確保期間を設定することをさらに含む、
請求項１４に記載の方法。
【請求項２０】
第１のノードにおいて実施される通信システムであって、
１つまたは複数のプロセッサと、
コンピュータプログラムを内部に記憶している、前記１つまたは複数のプロセッサと結合されているメモリと、
を備え、
前記コンピュータプログラムは、前記１つまたは複数のプロセッサによって実行されると、
ワイヤレスデータまたは信号を第２のノードに送信するステップと、
構成された送信時間間隔（ＴＴＩ）の長さに基づいて、１つまたは複数の確保期間が、送信手段によって送信される２つの連続するデータまたは信号の間で設定されているか否かを判定するステップと、
を実施し、
前記判定するステップは、
前記構成されたＴＴＩの長さが所定の閾値以下である場合に、前記１つまたは複数の確保期間が、２つの連続するデータまたは信号の間で設定されていると判定することをさらに含む、
第１のノードにおいて実施される通信システム。
【発明の詳細な説明】
【技術分野】
【０００１】
本発明の技術は、ワイヤレス通信の分野に関し、より詳細には、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）のための通信方法、通信装置および通信システムに関する。
【背景技術】
【０００２】
ワイヤレス通信の分野において、ユーザ機器ユニット（ＵＥ：ｕｓｅｒ  ｅｑｕｉｐｍｅｎｔ  ｕｎｉｔ）としても知られるエンドユーザ無線またはワイヤレス端末が、無線アクセスネットワーク（ＲＡＮ）のようなワイヤレスネットワークを介して、「ｅＮｏｄｅＢ」（ｅＮＢ）とも呼ばれる無線基地局（ＲＢＳ）と通信する。無線アクセスネットワーク（ＲＡＮ）は、複数のセル領域に分割される地理的領域をカバーし、各セル領域は、無線基地局によってサービスされる。
【０００３】
ＵＥまたはｅＮＢは、信号を送信するとき、信号の電圧をローレベルからハイレベルに（または電力オフ状態から電力オン状態に）し、信号の電圧をハイレベルからローレベルに（または電力オン状態から電力オフ状態に）するために、過渡期間（transient period）を必要とする。過渡期間内の信号は、不安定である場合があり、受信機においては役に立たない場合があり、これは求められない信号または望ましくない信号と呼ばれる場合がある。
【０００４】
ＲＡＮ４仕様ＴＳ３６．１０１に基づいて、電力オンおよびオフするには、いくらかの、例えば２０μｓの期間が必要とされる。この期間は、図１Ａおよび図１Ｂに示すように、送信の開始および送信の終了に必要とされる場合がある。また、送信チャネルタイプに応じて、過渡時間は、サブフレーム内で（図１Ａの左２０μｓの過渡期間に示すように、サブフレームを開始するためのタイミングと、サブフレームを終了するためのタイミングとの間の期間内で）、または、サブフレーム外で（図１Ａの右２０μｓの過渡期間に示すように、サブフレームを開始するためのタイミングと、サブフレームを終了するためのタイミングとの間の期間外で）実施される必要がある。ＲＡＮ４において定義されているそのような１つのサブフレームの過渡時間は、何らかの求められない信号または望ましくない信号が過渡時間の間に生成されることになるため、他のサブフレームの受信と干渉する可能性がある。１ｍｓのサブフレーム長について、過渡時間はほんの小さい割合しか占有しないため、そのような影響は無視することができる。
【０００５】
しかしながら、他方、物理レイヤ仕様（ＲＡＮ１）に基づく場合、特定の定義または時間は確保（reserve）されていない。すなわち、ＲＡＮ１規格に基づく場合、ＵＥまたはｅＮＢによって信号を送信するための電力オンおよび電力オフに起因して、サブフレーム内で特定の過渡時間が確保されることはない。システムまたは基地局の観点から、サブフレームは、図１Ｃのように、連続的に送信される。
【０００６】
特に短縮ＴＴＩ（ｓＴＴＩ）事例について、ＲＡＮ１規格におけるそのような過渡時間のための改善された解決策が必要とされている。
【発明の概要】
【発明が解決しようとする課題】
【０００７】
本発明者らは、通常のＴＴＩの持続時間が１ｍｓであり比較的長いため、物理レイヤ規格から特定の時間が過渡時間のために確保されないことは、通常のＴＴＩについては問題になり得ないことを見出した。また、送信／受信に対する過渡時間の影響は、無視することができる。したがって、ＲＡＮ４仕様に基づくと、過渡時間におけるＵＥの送信手段挙動を定義すれば十分である。しかし、短縮ＴＴＩ事例（例えば１ｍｓである閾値よりも短縮されたＴＴＩを有する）において、例えば、ダウンリンクサブフレームにおいて２つもしくは７つの直交周波数分割多重化（ＯＦＤＭ）シンボルを送信するか、または、アップリンクサブフレームにおいて２つ、４つ、もしくは７つの単一キャリア周波数分割多元接続（ＳＣ−ＦＤＭＡ）シンボルを送信するとき、電力オフから電力オンへの、または、電力オンから電力オフへの、送信信号の電圧のそのような不安定なレベルは、受信機において、大きい求められない信号または望ましくない信号をもたらす可能性がある。サブキャリア間隔がより小さい２つのみのＯＦＤＭ／ＳＣ−ＦＤＭシンボルまたはサブキャリア間隔がより大きい１４個のシンボルの場合、図２Ａ（上側部分）に示すように、所望の信号がしぼられることになるため、過渡時間の影響はより大きくなり得る。加えて、過渡時間が短縮ＴＴＩ（ｓＴＴＩ）の開始と終了の両方に対して確保され、各過渡時間に２０μｓが必要であると仮定すると、過渡時間の比は以下の表１のようになる。表１から、特に２シンボルｓＴＴＩ事例について、ｓＴＴＩに対する過渡時間の比は、約３０％であり、これは非常に大きく、所望の信号の受信の性能に深刻な影響を与える可能性がある。
【表１】
0006905047.tif 000002
【０００８】
しかし、他方、過渡時間は、ｓＴＴＩ外で構成されるとき、図２Ｂに示すように他のｓＴＴＩと干渉する可能性がある。すなわち、ｓＴＴＩ１の過渡時間が、ｓＴＴＩ２の信号の受信に影響を与え、その逆もある。過渡時間の影響は、非常に短縮されたｓＴＴＩの事例では、より深刻になる。ここで、短縮ＴＴＩは、送信ＯＦＤＭ／ＳＣ−ＦＤＭＡシンボルを低減すること、または、サブキャリア間隔を増大させることによって実現することができる。後者の場合、ＴＴＩのＯＦＤＭシンボル数は依然として、例えば、通常のＴＴＩの数と同じ１４個である。
【課題を解決するための手段】
【０００９】
上記の観察および分析に基づいて、本発明者らは、特に短縮ＴＴＩ（ｓＴＴＩ）事例について、ＲＡＮ１規格におけるそのような過渡時間のための改善された解決策を提案する。
【００１０】
一般的な一態様において、第１のノードにある装置であって、ワイヤレスデータまたは信号を第２のノードに送信するように動作可能な送信手段と、構成された送信時間間隔（ＴＴＩ）の長さに基づいて、１つまたは複数の確保期間が、送信手段によって送信される２つの連続するデータまたは信号の間で確保されているか否かを判定するように動作可能な回路と、を備え、回路は、構成されたＴＴＩの長さが閾値以下である場合に、１つまたは複数の確保期間が、２つの連続するデータまたは信号の間で確保されていると判定するようにさらに動作可能である、第１のノードにある装置が提供される。
【００１１】
別の一般的な態様において、第１のノードにおいて実施される方法であって、ワイヤレスデータまたは信号を第２のノードに送信するステップと、構成された送信時間間隔（ＴＴＩ）の長さに基づいて、１つまたは複数の確保期間が、送信手段によって送信される２つの連続するデータまたは信号の間で確保されているか否かを判定するステップと、を含み、判定するステップは、構成されたＴＴＩの長さが閾値以下である場合に、１つまたは複数の確保期間が、２つの連続するデータまたは信号の間で確保されていると判定することをさらに含む、第１のノードにおいて実施される方法が提供される。
【００１２】
別の一般的な態様において、第１のノードにおいて実施される通信システムであって、１つまたは複数のプロセッサと、コンピュータプログラムを内部に記憶している、１つまたは複数のプロセッサと結合されているメモリと、を備え、コンピュータプログラムは、１つまたは複数のプロセッサによって実行されると、ワイヤレスデータまたは信号を第２のノードに送信するステップと、構成された送信時間間隔（ＴＴＩ）の長さに基づいて、１つまたは複数の確保期間が、送信手段によって送信される２つの連続するデータまたは信号の間で確保されているか否かを判定するステップと、を実施するためのものであり、判定するステップは、構成されたＴＴＩの長さが閾値以下である場合に、１つまたは複数の確保期間が、２つの連続するデータまたは信号の間で確保されていると判定することをさらに含む、第１のノードにおいて実施される通信システムが提供される。
【図面の簡単な説明】
【００１３】
【図１Ａ】３ＧＰＰ  ＴＳ  ３６．２１１のＲＡＮ４仕様において指定される１つのサブフレームにおける過渡期間の概念を示す概略図である。
【図１Ｂ】３ＧＰＰ  ＴＳ  ３６．２１１のＲＡＮ４仕様において指定される複数のサブフレームにおける過渡期間の概念を示す概略図である。
【図１Ｃ】システムまたは基地局の観点から連続的に送信されるサブフレームを示す概略図である。
【図２Ａ】過渡時間がｓＴＴＩ内である場合の、異なる長さのｓＴＴＩによる過渡時間の影響を示す概略図である。
【図２Ｂ】過渡時間がｓＴＴＩ外である場合の、後続のｓＴＴＩに対するｓＴＴＩの過渡時間の影響を示す概略図である。
【図３】本発明の一実施形態に係る第１のノードにある装置の概略ブロック図である。
【図４Ａ】本発明の一実施形態に係る、異なる長さのｓＴＴＩによる過渡時間構成を示す概略図である。
【図４Ｂ】本発明の一実施形態に係る、異なる長さのｓＴＴＩによる過渡時間構成を示す概略図である。
【図５Ａ】本発明の一実施形態に係る、異なるチャネルタイプによる過渡時間構成を示す概略図である。
【図５Ｂ】本発明の実施形態に係る、異なるチャネルタイプによる過渡時間構成を示す概略図である。
【図６Ａ】本発明の一実施形態に係る通常のＴＴＩのシンボル／スロット境界と位置合わせされていない過渡時間を示す概略図である。
【図６Ｂ】本発明の別の実施形態に係る通常のＴＴＩのシンボル／スロット境界と位置合わせされている過渡時間を示す概略図である。
【図７】本発明の一実施形態に係る、ｓＴＴＩ内のサウンディング参照信号（ＳＲＳ：ｓｏｕｎｄｉｎｇ  ｒｅｆｅｒｅｎｃｅ  ｓｉｇｎａｌ）が復調に使用される、過渡時間構成を示す概略図である。
【図８】本発明の別の実施形態に係る、送信の開始時間または過渡時間がｅＮＢによって制御される、過渡時間構成を示す概略図である。
【図９Ａ】本発明の別の実施形態に係る、ホッピングを用いる４シンボルｓＴＴＩの過渡時間構成を示す概略図である。
【図９Ｂ】本発明の別の実施形態に係る、ホッピングを用いる４シンボルｓＴＴＩの過渡時間構成を示す概略図である。
【図１０】本発明の一実施形態に係る第１のノードにおける方法の概略フローチャートである。
【図１１】本発明の一実施形態に係るシステムの概略ブロック図である。
【発明を実施するための形態】
【００１４】
これより、通信方法、装置およびシステムに関する図３〜図１１を参照して、実施形態を説明する。本発明の技術は、多くの異なる形態および多くの異なる順序で具現化することができ、本明細書に記載されている実施形態に限定されるものとして解釈されるべきではないことが理解されよう。むしろ、これらの実施形態は、本開示が徹底的かつ完全であり、本発明の技術を当業者に十分に伝達するように提供される。事実、本発明の技術は、添付の特許請求の範囲によって定義される技術の範囲および精神内に含まれる、これらの実施形態の代替形態、修正形態および均等物を包含するように意図されている。さらに、本発明の技術の以下の詳細な説明において、本発明の技術の徹底的な理解を提供するために、多数の具体的な詳細が記載される。しかしながら、本発明の技術はそのような具体的な詳細なしに実施されることができることは当業者には明らかであろう。
【００１５】
方法のステップの順序および構成要素の構造が本明細書において例示を目的として提供されているが、これは限定のためではない。本発明の技術の上記の詳細な説明は、例示および説明の目的で提示されてきた。網羅的であることも、本発明の技術を開示された正確な形態に限定することも意図されてはいない。上記の教示を考慮して多くの改変および変更が可能である。記載されている実施形態は、本発明の技術の原理およびその実際の適用を最良に説明するために、それによって、当業者が、本発明の技術を様々な実施形態において、企図される特定の使用に適するように様々な改変を加えて最良に利用することを可能にするように、選択されている。本発明の技術の範囲は本明細書に添付される特許請求の範囲によって規定されることが意図されている。
【００１６】
図３は、本発明の一実施形態に係る第１のノードにある装置３００のブロック図を概略的に示す。
【００１７】
第１のノードにある装置３００は、ワイヤレスデータまたは信号を第２のノードに送信するように動作可能な送信手段３０１と、構成された送信時間間隔（ＴＴＩ）の長さに基づいて、１つまたは複数の確保期間が、送信手段によって送信される２つの連続するデータまたは信号の間で確保されているか否かを判定するように動作可能な回路３０２と、を備える。回路３０２は、構成されたＴＴＩの長さが閾値以下である場合に、１つまたは複数の確保期間が、２つの連続するデータまたは信号の間で確保されていると判定するようにさらに動作可能である。
【００１８】
したがって、ＲＡＮ１仕様において、構成されたＴＴＩの長さが閾値以下である場合、１つまたは複数の確保期間は、２つの連続するデータまたは信号の間で確保され、異なる長さのｓＴＴＩについて、リソース利用を最適化することができる。
【００１９】
図４Ａおよび図４Ｂは、本発明の一実施形態に係る、異なる長さのｓＴＴＩによる過渡時間構成を概略的に示す。
【００２０】
図４Ａに示すように、物理レイヤ規格からスロットレベルＴＴＩについて特定の時間（例えば、サブフレーム内の２つのシンボル、１つのシンボルは過渡時間開始のためのものであり、１つのシンボルは過渡時間終了のためのものである）が過渡時間のために確保されないことは、スロットレベルＴＴＩの持続時間が相対的により長いため、問題になり得ない。そのため、閾値（例えば、７つのＯＦＤＭシンボルに等しい５００μｓ）以上のＴＴＩについて、確保期間は、２つの連続するデータまたは信号の間で確保されない。
【００２１】
図４Ｂに示すように、閾値（例えば、７つのＯＦＤＭシンボルに等しい５００μｓ）よりも短いＴＴＩについて、すなわち、２つのＯＦＤＭシンボルが仮定される場合、確保期間は、２つの連続するデータまたは信号の間で確保されている。
【００２２】
ＴＴＩ概念は、例えば、１５ｋｈｚを想定して１ｍｓのサブキャリア間隔（例えば、３ＧＰＰ  ＴＳ  ３６．２１１、リリース８〜１２において指定されている）を有する通常のＴＴＩ、および、通常のＴＴＩの長さよりも短い短縮された長さを有する短縮ＴＴＩならびに任意の長さの任意のＴＴＩを含むことができることに留意されたい。しかし、閾値は、通常のＴＴＩの長さよりも短い、またはより長い、または等しい場合があるため、通常のＴＴＩの長さよりも短い短縮された長さを有する短縮ＴＴＩの概念は、本開示において定義される閾値よりも短いまたは等しいＴＴＩの概念に必ずしも等しいとは限らない。この解決策をより包括的にするために、通常のＴＴＩの長さよりも短い短縮された長さを有する短縮ＴＴＩは通常、略してｓＴＴＩと呼ばれるが、短縮ＴＴＩは一種のＴＴＩに属することには変わりないため、これは限定ではない。
【００２３】
以下の表２は、実施形態に係る、異なる長さのｓＴＴＩに対する過渡時間構成を示すための例を概略的に示す。表２に示すように、実施形態において、７シンボルｓＴＴＩに関する過渡時間の影響は、ｓＴＴＩの開始に１つの過渡時間が必要とされ、ｓＴＴＩの終了に１つの過渡時間が必要とされると仮定すると、約８％である。過渡時間はｓＴＴＩ内である。ホッピングを用いない４シンボルｓＴＴＩに対する過渡時間の影響は約１６％であり、ホッピングを用いる４シンボルｓＴＴＩおよび２シンボルｓＴＴＩに関するそのような値は、約２８％である。そのため、そのような分析に基づいて、特定の確保期間は、サブフレーム内のホッピングを用いない７シンボルｓＴＴＩおよび４シンボルｓＴＴＩのために確保されるべきではない。図４はまた、７シンボルｓＴＴＩの例を示す。過渡時間は、ＲＡＮ４要件に基づいてＵＥによって実施される。しかし、２シンボルｓＴＴＩ事例について、これは、他のＵＥもしくは別のサブフレーム内の送信と干渉し、または、それ自体の送信に影響を与える可能性があり、ＲＡＮ４において指定される将来の過渡時間のために特定の時間が確保されるべきであり、これによって、基地局またはシステムの観点から時間ドメインにおいて２つのｓＴＴＩが隣接しなくなる。
【表２】
0006905047.tif 000003
【００２４】
本明細書における「過渡時間」概念は通常、送信手段が信号を送信することについてＲＡＮ４において定義されている特定の時間を示すが、本明細書における「確保時間／期間」の概念は通常、物理レイヤ規格からのシステムの観点から２つのｓＴＴＩ間で確保されている特定の時間を示すことに留意されたい。ＲＡＮ４において、過渡時間確保は、ＵＥによって実現され、ＵＥごとに異なる。ＲＡＮ１仕様において、過渡時間／期間に対する処理は存在せず、または、ｅＮＢ／ＵＥは、図１Ｃに示すように、２つのＴＴＩまたはサブフレームが連続的に送信されると仮定する。
【００２５】
一実施形態において、回路３０２は、２つの連続するデータまたは信号のタイプ、および、２つの連続するデータまたは信号の間の電力の差のうちの少なくとも１つに基づいて、１つまたは複数の確保期間が、２つの連続するデータまたは信号の間で確保されているか否かを判定するように、さらに動作可能である。
【００２６】
一実施形態において、回路３０２は、２つの連続するデータまたは信号のタイプが異なる場合に、１つまたは複数の確保期間が２つの連続するデータまたは信号の間で確保されていると判定し、２つの連続するデータまたは信号の間に電力の差がない場合に、１つまたは複数の確保期間が２つの連続するデータまたは信号の間で確保されていないと判定し、または、２つの連続するデータまたは信号のタイプが異なり、かつ、２つの連続するデータまたは信号の間に電力の差がない場合に、１つまたは複数の確保期間が２つの連続するデータまたは信号の間で確保されていないと判定するように、さらに動作可能である。
【００２７】
この実施形態は、以下の少なくとも３つの方法を含むことができる。
【００２８】
（１）２つの連続するデータまたは信号の間に電力の差があるか否かにかかわらず、２つの連続するデータまたは信号のタイプが異なる場合に、１つまたは複数の確保期間が、２つの連続するデータまたは信号の間で確保されている。２つの連続するデータまたは信号のタイプが異なるか否かに関する１つの判定しか実施されず、２つの異なるタイプのデータ（ＳＲＳ信号およびユーザデータなど）の送信の電力は通常、送信ごとに異なるため、この方法は効率的である。
【００２９】
（２）２つの連続するデータまたは信号のタイプが異なるか否かにかかわらず、２つの連続するデータまたは信号の間に電力の差がない場合に、１つまたは複数の確保期間が２つの連続するデータまたは信号の間で確保されない。この場合、２つの連続するデータまたは信号の間に電力の差が生じない場合、電力をオンからオフに（もしくはハイからローに）、または、オフからオンに（もしくはハイからローに）偏向する必要はない。そのため、２つの連続するデータまたは信号の間で１つまたは複数の確保期間を確保する必要がなく、それによって、リソース利用を最適化することができる。
【００３０】
（３）２つの連続するデータまたは信号のタイプが異なり、かつ、２つの連続するデータまたは信号の間に電力の差がない場合に、１つまたは複数の確保期間は、２つの連続するデータまたは信号の間で確保されない。この場合、２つの条件が両方とも満たされる必要がある。第１に、２つの連続するデータまたは信号のタイプが異なり、第２に、２つの連続するデータまたは信号の間に電力の差がない。２つの連続するデータまたは信号のタイプが異なるときに、２つの連続するデータまたは信号の間に電力の差がないという事例は、非常に少ない。しかしながら、２つの連続するデータまたは信号の間に電力の差がなくなると、２つの連続するデータまたは信号の間で１つまたは複数の確保期間を確保する必要はなくなり、それによって、リソース利用を最適化することができる。
【００３１】
図５Ａは、本発明の一実施形態に係る、異なるチャネルタイプによる過渡時間構成を概略的に示す。図５Ｂは、本発明の実施形態に係る、異なるチャネルタイプによる過渡時間構成を概略的に示す。２つの図面は、上記で言及した第１の方法を示す。すなわち、（１）２つの連続するデータまたは信号のタイプが異なる場合、２つの連続するデータまたは信号の間で１つまたは複数の確保期間が確保されている。図５Ａに示すように、２つの連続するデータまたは信号のタイプ（ユーザデータ（ｓＴＴＩ）およびＳＲＳタイプデータ）が異なるため、２つの連続するデータまたは信号の間で４０μｓの確保期間が確保されている。図５Ｂに示すように、２つの連続するデータまたは信号のタイプ（同じＵＥからの両方のユーザデータ（ｓＴＴＩ））が同じであるため、２つの連続するデータまたは信号の間で確保されている期間は確保されない。この場合、その理由は、ユーザデータおよびＳＲＳは異なる電力を有するが、同じＵＥからの２つのｓＴＴＩの間の電力には差がない可能性があることである。そのため、過渡時間のためにリソースが無駄にならないため、リソース利用が改善される。
【００３２】
図６Ａは、本発明の一実施形態に係る通常のＴＴＩのシンボル／スロット境界と位置合わせされていない過渡時間を概略的に示す。
【００３３】
一実施形態において、回路３０２は、１つまたは複数の確保期間が、２つの連続するデータまたは信号の間で確保されている場合に、図６Ａに示すように、２つの連続するデータまたは信号の各々の直交周波数分割多重化（ＯＦＤＭ）または単一キャリア周波数分割多元接続（ＳＣ−ＦＤＭＡ）シンボル境界を、閾値以上の長さのＴＴＩを有する他のデータまたは信号のものと位置合わせしないように、さらに動作可能である。
【００３４】
図６Ａは、過渡時間が導入されることに起因して、ｓＴＴＩが、サブフレーム内でレガシーシンボルまたはスロット境界と位置合わせされない例を示す。複数の過渡時間が、サブフレーム内で２つのｓＴＴＩの間で確保されている。ここで、１つのｓＴＴＩは、ＤＭＲＳを送信する１つのシンボルおよびデータを送信する１つのシンボルから構成されると仮定される。ｓＴＴＩは、ＲＡＮ４の最小要件に基づいて、可能な限り１つのサブフレーム内に配置される。この例において、最大で５つのｓＴＴＩを、サブフレーム内に配置することができる。そうすることによって、ｓＴＴＩリソースを最適化することができる。
【００３５】
図６Ｂは、本発明の別の実施形態に係る通常のＴＴＩのシンボル／スロット境界と位置合わせされている過渡時間を概略的に示す。
【００３６】
一実施形態において、回路３０２は、１つまたは複数の確保期間が、２つのデータまたは信号の間で確保されている場合に、図６Ｂに示すように、２つの連続するデータまたは信号の各々のＯＦＤＭまたはＳＣ−ＦＤＭＡシンボル境界を、閾値以上の長さのＴＴＩを有する他のデータまたは信号のものと位置合わせするように、さらに動作可能である。
【００３７】
図６Ｂは、過渡時間が導入されることに起因して、ｓＴＴＩが、サブフレーム内でレガシーシンボルまたはスロット境界と正確に位置合わせされる例を示す。一実施形態において、回路３０２は、２つの連続するデータまたは信号の間で確保されている期間について１つのＯＦＤＭまたはＳＣ−ＦＤＭＡシンボルを確保するようにさら動作可能である。図６Ｂに示すように、１つのＯＦＤＭまたはＳＣ−ＦＤＭＡシンボルが過渡時間に使用され、２つの隣接するｓＴＴＩ間の互いに対する干渉はない。シンボルが位置合わせされると、いくつかの通常のＴＴＩが、同じサブフレーム内で周波数ドメインにおいてｓＴＴＩと多重化され得ることを考慮して、キャリア間干渉およびＵＥ複雑度を最小化することができるが、図６Ａの事例と比較して、サブフレーム内で４つのｓＴＴＩしか構成されていないため、リソース利用を最適化することはできない。
【００３８】
図７は、本発明の一実施形態に係る、ｓＴＴＩ内のサウンディング参照信号（ＳＲＳ：ｓｏｕｎｄｉｎｇ  ｒｅｆｅｒｅｎｃｅ  ｓｉｇｎａｌ）が復調に使用される、過渡時間構成を概略的に示す。
【００３９】
一実施形態において、送信手段３０１は、２つの連続するデータまたは信号のうちの１つのデータまたは信号がサウンディング参照信号（ＳＲＳ）を含む場合に、１つのデータまたは信号内で復調参照信号（ＤＭＲＳ）を送信することなく、１つのデータまたは信号内でユーザデータを送信するように動作可能である。
【００４０】
図７は、ＳＲＳ信号がｓＴＴＩを復調するために使用され得る一例を示す。サブフレーム内で、ＵＥがＳＲＳを送信するとき、隣接するｓＴＴＩはＤＭＲＳを送信しない。ＳＲＳは復調に使用される。そのような挙動は、ＲＳオーバヘッドを低減するには有益である。しかし、すべてのサブフレームまたはＰＲＢがＳＲＳを送信するわけではないため、いずれのＰＲＢまたはサブフレームがＳＲＳを復調に使用するかは、ＳＲＳ構成に応じて決まる。
【００４１】
図８は、本発明の別の実施形態に係る、送信の開始時間または過渡時間がｅＮＢによって制御される、過渡時間構成を概略的に示す。
【００４２】
一実施形態において、回路３０２は、ｅＮｏｄｅＢ（ｅＮＢ）が、確保期間のうちの少なくとも１つの開始時間、および、データまたは信号のうちの少なくとも１つの開始時間のうちの少なくとも１つを示すようにするようにさらに動作可能である。したがって、確保期間の構成は、ｅＮＢによって構成することができる。
【００４３】
図８は、ｅＮＢがＵＥの確保時間を示す一例を示す。先行するｓＴＴＩ（ｓＴＴＩ１）の長さがより長い場合、ｓＴＴＩ２の確保時間は、ｓＴＴＩ１に対する影響がより小さいことを考慮して、ｓＴＴＩ１内になり得る。ｅＮＢは、特定のシグナリング（例えば、物理ダウンリンク制御チャネル（ＰＤＣＣＨ）または拡張物理ダウンリンク制御チャネル（ＥＰＤＣＣＨ）におけるダウンリンク制御情報（ＤＣＩ））によってトランスポートブロック（ＴＢ）の確保時間または開始時間を示すことができる。別の可能性は、ｅＮＢが、タイミングアドバンス指示によって送信の開始時間または過渡時間を制御することである。
【００４４】
先行するｓＴＴＩ長（ｓＴＴＩ１）がより小さい場合、ｓＴＴＩ２の確保時間は、任意のｓＴＴＩ内にならない。確保時間または送信の開始時間は、ｅＮＢによって示される。そうすることによって、互いに対する干渉を回避することができる。
【００４５】
一実施形態において、回路３０２は、参照信号（ＲＳ）シンボルと重複しない確保期間を確保するようにさらに動作可能である。
【００４６】
一実施形態において、回路３０２は、各ＴＴＩの長さが閾値以下である場合に、求められるまたは所望のデータまたは信号が連続するデータまたは信号の間で送信されない１つまたは複数の確保期間を設定するステップ、後続のデータまたは信号を送信する前に、求められるまたは所望のデータまたは信号が送信されない１つまたは複数の確保期間を設定するステップ、および、後続のデータまたは信号が送信された後に、求められるまたは所望のデータまたは信号が送信されない１つまたは複数の確保期間を設定するステップのうちの少なくとも１つを実施するようにさらに動作可能である。
【００４７】
すなわち、本開示における確保期間を確保することは、連続するデータまたは信号の間、後続のデータまたは信号を送信する前、および、後続のデータまたは信号が送信された後に、求められるまたは所望のデータまたは信号が送信されない１つまたは複数の確保期間を設定することを意味する。それゆえ、サブキャリア間干渉を低減することができる。
【００４８】
一実施形態において、求められるまたは所望のデータまたは信号は、その送信電力レベルが所定の要件よりも高いデータまたは信号であり得る。
【００４９】
一実施形態において、２つの連続するデータまたは信号は、サウンディング参照信号（ＳＲＳ）、ＴＴＩの復調参照信号（ＤＭＲＳ）、およびＴＴＩのユーザデータのうちの少なくとも１つを含んでもよい。
【００５０】
一実施形態において、構成されたＴＴＩは、サブフレーム内の短縮ＴＴＩ、および、１つまたは複数のサブフレームにまたがるＴＴＩのうちの少なくとも１つを含む。
【００５１】
図９Ａおよび図９Ｂは、本発明の別の実施形態に係る、ホッピングを用いる４シンボルｓＴＴＩの過渡時間構成を概略的に示す。
【００５２】
ホッピングを用いる４シンボルｓＴＴＩとは、最初の２つのシンボルが最初に送信され、その後、最後の２つのシンボルが送信されることを意味する。図９Ａおよび図９Ｂは、図９Ａに示すようなホッピングを用いる４シンボルｓＴＴＩに関する一例を示す。基本的に、この場合、４シンボルｓＴＴＩは、２シンボルｓＴＴＩ時間パターンを再使用することができる。例えば、ＴＴＩ１が、４シンボルｓＴＴＩのうちの最初の２つのシンボルを送信し、ＴＴＩ２が、４シンボルｓＴＴＩのうちの最後の２つのシンボルを送信する。ただし、図９Ｂに示すように、最初の２つのシンボルは、最後の２つのシンボルとは異なる物理リソースブロック（ＰＲＢ）内にある。
【００５３】
したがって、本発明の実施形態によれば、リソース利用を最適化することができ、サブキャリア間干渉を低減することができる。
【００５４】
図１０は、本発明の一実施形態に係る第１のノードにおける方法１０００のフローチャートを概略的に示す。
【００５５】
第１のノードにおいて実行される方法１０００は、ワイヤレスデータまたは信号を第２のノードに送信するステップＳ１００１と、構成された送信時間間隔（ＴＴＩ）の長さに基づいて、１つまたは複数の確保期間が、送信手段によって送信される２つの連続するデータまたは信号の間で確保されているか否かを判定するステップＳ１００２と、を含み、判定するステップＳ１００２は、構成されたＴＴＩの長さが閾値以下である場合に、１つまたは複数の確保期間が、２つの連続するデータまたは信号の間で確保されていると判定することをさらに含む。
【００５６】
一実施形態において、判定するステップＳ１００２は、２つの連続するデータまたは信号のタイプ、および、２つの連続するデータまたは信号の間の電力の差のうちの少なくとも１つに基づいて、１つまたは複数の確保期間が、２つの連続するデータまたは信号の間で確保されているか否かを判定することをさらに含む。
【００５７】
一実施形態において、判定するステップＳ１００２は、２つの連続するデータまたは信号のタイプが異なる場合に、１つまたは複数の確保期間が２つの連続するデータまたは信号の間で確保されていると判定し、２つの連続するデータまたは信号の間に電力の差がない場合に、１つまたは複数の確保期間が２つの連続するデータまたは信号の間で確保されていないと判定し、または、２つの連続するデータまたは信号のタイプが異なり、かつ、２つの連続するデータまたは信号の間に電力の差がない場合に、１つまたは複数の確保期間が２つの連続するデータまたは信号の間で確保されていないと判定することをさらに含む。
【００５８】
一実施形態において、判定するステップＳ１００２は、１つまたは複数の確保期間が、２つの連続するデータまたは信号の間で確保されている場合に、２つの連続するデータまたは信号のシンボルを、閾値以上の長さのｓＴＴＩを有する他のデータまたは信号のものと位置合わせさせないことをさらに含む。
【００５９】
一実施形態において、判定するステップＳ１００２は、１つまたは複数の確保期間が、２つの連続するデータまたは信号の間で確保されている場合に、２つの連続するデータまたは信号の各々の直交周波数分割多重化（ＯＦＤＭ）または単一キャリア周波数分割多元接続（ＳＣ−ＦＤＭＡ）シンボル境界を、閾値以上の長さのＴＴＩを有する他のデータまたは信号のものと位置合わせさせないことをさらに含む。
【００６０】
一実施形態において、判定するステップＳ１００２は、２つの連続するデータまたは信号の間で確保されている期間について１つのＯＦＤＭまたはＳＣ−ＦＤＭＡシンボルを確保することをさらに含む。
【００６１】
一実施形態において、送信するステップＳ１００１は、２つの連続するデータまたは信号のうちの１つのデータまたは信号がサウンディング参照信号（ＳＲＳ）を含む場合に、１つのデータまたは信号内で復調参照信号（ＤＭＲＳ）を送信することなく、１つのデータまたは信号内でユーザデータを送信することをさらに含む。
【００６２】
一実施形態において、方法１０００は、ｅＮｏｄｅＢ（ｅＮＢ）が、確保期間のうちの少なくとも１つの開始時間、および、データまたは信号のうちの少なくとも１つの開始時間のうちの少なくとも１つを示すようにするステップをさらに含む。
【００６３】
一実施形態において、判定するステップＳ１００２は、参照信号（ＲＳ）シンボルと重複しない確保期間を確保することをさらに含む。
【００６４】
一実施形態において、判定するステップＳ１００２は、各ＴＴＩの長さが閾値以下である場合に、求められるまたは所望のデータまたは信号が連続するデータまたは信号の間で送信されない１つまたは複数の確保期間を設定するステップ、後続のデータまたは信号を送信する前に、求められるまたは所望のデータまたは信号が送信されない１つまたは複数の確保期間を設定するステップ、および、後続のデータまたは信号が送信された後に、求められるまたは所望のデータまたは信号が送信されない１つまたは複数の確保期間を設定するステップのうちの少なくとも１つを実施することをさらに含む。
【００６５】
一実施形態において、求められるまたは所望のデータまたは信号は、その送信電力レベルが所定の要件よりも高いデータまたは信号である。
【００６６】
一実施形態において、２つの連続するデータまたは信号は、サウンディング参照信号（ＳＲＳ）、ＴＴＩの復調参照信号（ＤＭＲＳ）、およびＴＴＩのユーザデータのうちの少なくとも１つを含む。
【００６７】
一実施形態において、構成されたＴＴＩは、サブフレーム内の短縮ＴＴＩ、および、１つまたは複数のサブフレームにまたがるＴＴＩのうちの少なくとも１つを含む。
【００６８】
したがって、本発明の実施形態によれば、リソース利用を最適化することができ、サブキャリア間干渉を低減することができる。
【００６９】
方法は、上記で言及した装置によって追加の動作およびステップを実施することができ、そのため、そのような追加の動作およびステップは、冗長にならないようにここでは説明しないことに留意されたい。
【００７０】
図１１は、本発明の一実施形態に係るシステム１１００のブロック図を概略的に示す。
【００７１】
第１のノードにおいて実施される通信システム１１００は、１つまたは複数のプロセッサ１１０１と、コンピュータプログラムを内部に記憶している、１つまたは複数のプロセッサと結合されているメモリ１１０２と、を備え、コンピュータプログラムは、１つまたは複数のプロセッサによって実行されると、ワイヤレスデータまたは信号を第２のノードに送信するステップと、構成された送信時間間隔（ＴＴＩ）の長さに基づいて、１つまたは複数の確保期間が、送信手段によって送信される２つの連続するデータまたは信号の間で確保されているか否かを判定するステップと、を実施するためのものであり、判定するステップは、構成されたＴＴＩの長さが閾値以下である場合に、１つまたは複数の確保期間が、２つの連続するデータまたは信号の間で確保されていると判定することをさらに含む。
【００７２】
内部のコンピュータプログラムは、１つまたは複数のプロセッサによって実行されると、上記で言及したステップを実施することができ、そのため、詳細な説明はここでは省かれることに留意されたい。
【００７３】
したがって、本発明の実施形態によれば、リソース利用を最適化することができ、サブキャリア間干渉を低減することができる。
【００７４】
加えて、本開示の実施形態は、少なくとも以下の主題を提供することができる。
【００７５】
（１）第１のノードにある装置であって、ワイヤレスデータまたは信号を第２のノードに送信するように動作可能な送信手段と、構成された送信時間間隔（ＴＴＩ）の長さに基づいて、１つまたは複数の確保期間が、送信手段によって送信される２つの連続するデータまたは信号の間で確保されているか否かを判定するように動作可能な回路と、を備え、回路は、構成されたＴＴＩの長さが閾値以下である場合に、１つまたは複数の確保期間が、２つの連続するデータまたは信号の間で確保されていると判定するようにさらに動作可能である、第１のノードにある装置。
【００７６】
（２）回路が、２つの連続するデータまたは信号のタイプ、および、２つの連続するデータまたは信号の間の電力の差のうちの少なくとも１つに基づいて、前記１つまたは複数の確保期間が、２つの連続するデータまたは信号の間で確保されているか否かを判定するようにさらに動作可能である、（１）に係る装置。
【００７７】
（３）回路が、２つの連続するデータまたは信号のタイプが異なる場合に、２つの連続するデータまたは信号の間で１つまたは複数の確保期間が確保されていると判定し、２つの連続するデータまたは信号の間に電力の差がない場合、２つの連続するデータまたは信号の間で１つまたは複数の確保期間が確保されていないと判定し、または、２つの連続するデータまたは信号のタイプが異なり、かつ、２つの連続するデータまたは信号の間に電力の差がない場合に、１つまたは複数の確保期間が２つの連続するデータまたは信号の間で確保されていないと判定するようにさらに動作可能である、（２）に係る装置。
【００７８】
（４）回路が、１つまたは複数の確保期間が、２つの連続するデータまたは信号の間で確保されている場合に、２つの連続するデータまたは信号の各々の直交周波数分割多重化（ＯＦＤＭ）または単一キャリア周波数分割多元接続（ＳＣ−ＦＤＭＡ）シンボル境界を、閾値以上の長さのＴＴＩを有する他のデータまたは信号のものと位置合わせさせないようにさらに動作可能である、（１）に係る装置。
【００７９】
（５）回路が、１つまたは複数の確保期間が、２つのデータまたは信号の間で確保されている場合に、２つの連続するデータまたは信号の各々のＯＦＤＭまたはＳＣ−ＦＤＭＡシンボル境界を、閾値以上の長さのＴＴＩを有する他のデータまたは信号のものと位置合わせさせるようにさらに動作可能である、（１）に係る装置。
【００８０】
（６）回路が、２つの連続するデータまたは信号の間で確保されている期間について１つのＯＦＤＭまたはＳＣ−ＦＤＭＡシンボルを確保するようにさらに動作可能である、（５）に係る装置。
【００８１】
（７）送信手段が、２つの連続するデータまたは信号のうちの１つのデータまたは信号がサウンディング参照信号（ＳＲＳ）を含む場合に、１つのデータまたは信号内で復調参照信号（ＤＭＲＳ）を送信することなく、１つのデータまたは信号内でユーザデータを送信するように動作可能である、（１）に係る装置。
【００８２】
（８）回路が、ｅＮｏｄｅＢ（ｅＮＢ）が、確保期間のうちの少なくとも１つの開始時間、および、データまたは信号のうちの少なくとも１つの開始時間のうちの少なくとも１つを示すようにするようにさらに動作可能である、（１）に係る装置。
【００８３】
（９）回路が、参照信号（ＲＳ）シンボルと重複しない確保期間を確保するようにさらに動作可能である、（１）に係る装置。
【００８４】
（１０）回路は、各ＴＴＩの長さが閾値以下である場合に、求められるまたは所望のデータまたは信号が連続するデータまたは信号の間で送信されない１つまたは複数の確保期間を設定するステップ、後続のデータまたは信号を送信する前に、求められるまたは所望のデータまたは信号が送信されない１つまたは複数の確保期間を設定するステップ、および、後続のデータまたは信号が送信された後に、求められるまたは所望のデータまたは信号が送信されない１つまたは複数の確保期間を設定するステップのうちの少なくとも１つを実施するようにさらに動作可能である、（１）に係る装置。
【００８５】
（１１）求められるまたは所望のデータまたは信号は、送信電力レベルが所定の要件よりも高いデータまたは信号である、（１０）に係る装置。
【００８６】
（１２）２つの連続するデータまたは信号は、サウンディング参照信号（ＳＲＳ）、ＴＴＩの復調参照信号（ＤＭＲＳ）およびＴＴＩのユーザデータのうちの少なくとも１つを含む、（１）に係る装置。
【００８７】
（１３）構成されたＴＴＩは、サブフレーム内の短縮ＴＴＩ、および、１つまたは複数のサブフレームにまたがるＴＴＩのうちの少なくとも１つを含む、（１）に係る装置。
【００８８】
（１４）第１のノードにおいて実施される方法であって、ワイヤレスデータまたは信号を第２のノードに送信するステップと、構成された送信時間間隔（ＴＴＩ）の長さに基づいて、１つまたは複数の確保期間が、送信手段によって送信される２つの連続するデータまたは信号の間で確保されているか否かを判定するステップと、を含み、判定するステップは、構成されたＴＴＩの長さが閾値以下である場合に、１つまたは複数の確保期間が、２つの連続するデータまたは信号の間で確保されていると判定することをさらに含む、第１のノードにおいて実施される方法。
【００８９】
（１５）判定するステップは、２つの連続するデータまたは信号のタイプ、および、２つの連続するデータまたは信号の間の電力の差のうちの少なくとも１つに基づいて、１つまたは複数の確保期間が、２つの連続するデータまたは信号の間で確保されているか否かを判定することをさらに含む、（１４）に係る方法。
【００９０】
（１６）判定するステップは、２つの連続するデータまたは信号のタイプが異なる場合に、２つの連続するデータまたは信号の間で１つまたは複数の確保期間が確保されていると判定すること、２つの連続するデータまたは信号の間に電力の差がない場合、２つの連続するデータまたは信号の間で１つまたは複数の確保期間が確保されていないと判定すること、または、２つの連続するデータまたは信号のタイプが異なり、かつ、２つの連続するデータまたは信号の間に電力の差がない場合に、１つまたは複数の確保期間が２つの連続するデータまたは信号の間で確保されていないと判定することをさらに含む、（１５）に係る方法。
【００９１】
（１７）判定するステップは、１つまたは複数の確保期間が、２つのデータまたは信号の間で確保されている場合に、２つの連続するデータまたは信号のシンボルを、閾値以上の長さのｓＴＴＩを有する他のデータまたは信号のものと位置合わせさせないことをさらに含む、（１４）に係る方法。
【００９２】
（１８）判定するステップは、１つまたは複数の確保期間が、２つの連続するデータまたは信号の間で確保されている場合に、２つの連続するデータまたは信号の各々の直交周波数分割多重化（ＯＦＤＭ）または単一キャリア周波数分割多元接続（ＳＣ−ＦＤＭＡ）シンボル境界を、閾値以上の長さのＴＴＩを有する他のデータまたは信号のものと位置合わせさせないことをさらに含む、（１４）に係る方法。
【００９３】
（１９）判定するステップは、２つの連続するデータまたは信号の間で確保されている期間について１つのＯＦＤＭまたはＳＣ−ＦＤＭＡシンボルを確保することをさらに含む、（１８）に係る方法。
【００９４】
（２０）送信するステップは、２つの連続するデータまたは信号のうちの１つのデータまたは信号がサウンディング参照信号（ＳＲＳ）を含む場合に、１つのデータまたは信号内で復調参照信号（ＤＭＲＳ）を送信することなく、１つのデータまたは信号内でユーザデータを送信することをさらに含む、（１４）に係る方法。
【００９５】
（２１）方法は、ｅＮｏｄｅＢ（ｅＮＢ）が、確保期間のうちの少なくとも１つの開始時間、および、データまたは信号のうちの少なくとも１つの開始時間のうちの少なくとも１つを示すようにするステップをさらに含む、（１４）に係る方法。
【００９６】
（２２）判定するステップは、参照信号（ＲＳ）シンボルと重複しない確保期間を確保することをさらに含む、（１４）に係る方法。
【００９７】
（２３）判定するステップは、各ＴＴＩの長さが閾値以下である場合に、求められるまたは所望のデータまたは信号が連続するデータまたは信号の間で送信されない１つまたは複数の確保期間を設定するステップ、後続のデータまたは信号を送信する前に、求められるまたは所望のデータまたは信号が送信されない１つまたは複数の確保期間を設定するステップ、および、後続のデータまたは信号が送信された後に、求められるまたは所望のデータまたは信号が送信されない１つまたは複数の確保期間を設定するステップのうちの少なくとも１つを実施することをさらに含む、（１４）に係る方法。
【００９８】
（２４）求められるまたは所望のデータまたは信号は、その送信電力レベルが所定の要件よりも高いデータまたは信号である、（２３）に係る方法。
【００９９】
（２５）２つの連続するデータまたは信号は、サウンディング参照信号（ＳＲＳ）、ＴＴＩの復調参照信号（ＤＭＲＳ）、およびＴＴＩのユーザデータのうちの少なくとも１つを含む、（１４）に係る方法。
【０１００】
（２６）構成されたＴＴＩは、サブフレーム内の短縮ＴＴＩ、および、１つまたは複数のサブフレームにまたがるＴＴＩのうちの少なくとも１つを含む、（１４）に係る方法。
【０１０１】
（２７）第１のノードにおいて実施される通信システムであって、１つまたは複数のプロセッサと、コンピュータプログラムを内部に記憶している、１つまたは複数のプロセッサと結合されているメモリと、を備え、コンピュータプログラムは、１つまたは複数のプロセッサによって実行されると、ワイヤレスデータまたは信号を第２のノードに送信するステップと、構成された送信時間間隔（ＴＴＩ）の長さに基づいて、１つまたは複数の確保期間が、送信手段によって送信される２つの連続するデータまたは信号の間で確保されているか否かを判定するステップと、を実施するためのものであり、判定するステップは、構成されたＴＴＩの長さが閾値以下である場合に、１つまたは複数の確保期間が、２つの連続するデータまたは信号の間で確保されていると判定することをさらに含む、第１のノードにおいて実施される通信システム。
【０１０２】
本開示は、ソフトウェア、ハードウェア、またはハードウェアと協働するソフトウェアによって実現することができる。上述した各実施形態の記述において使用されている各機能ブロックは、ＬＳＩによって集積回路として実現することができ、各実施形態において記述されている各プロセスは、ＬＳＩによって制御することができる。それらは、チップとして個々に形成されてもよく、または、１つのチップが、それら機能ブロックの一部分またはすべてを含むように形成されてもよい。それらは、それらに結合されているデータ入力および出力を含むことができる。本明細書において、ＬＳＩは、集積度の差に応じて、ＩＣ、システムＬＳＩ、スーパーＬＳＩ、またはウルトラＬＳＩとして参照されてもよい。しかしながら、集積回路を実装する技法は、ＬＳＩに限定されず、専用回路または汎用プロセッサを使用することによって実現されてもよい。加えて、ＬＳＩの製造後にプログラムすることができるＦＰＧＡ（フィールドプログラマブルゲートアレイ）、または、ＬＳＩの内部に配置される回路セルの接続および設定を再構成することができる再構成可能プロセッサが使用されてもよい。
【０１０３】
本開示のいくつかの実施形態の例が、特定の実施形態の添付の図解を参照して、上記で詳細に記述されている。無論、構成要素または技法のすべての考えられる組み合わせを記述するのは可能ではないが、当業者は、本開示の範囲から逸脱することなく、上述した実施形態に様々な改変を行うことができることを理解するであろう。例えば、上記の実施形態は３ＧＰＰネットワークの部分を参照して記述されているが、本開示の実施形態は、同様の機能構成要素を有する、３ＧＰＰネットワークの後継のような、同様のネットワークにも適用可能であることは容易に理解されよう。
【０１０４】
それゆえ、特に、３ＧＰＰという用語、および、上記の説明ならびに添付の図面および任意の添付の特許請求項において使用されている、関連付けられるまたは関係する用語は、現在または将来において、それに応じて解釈されるべきである。
【０１０５】
本開示は、ソフトウェア、ハードウェア、またはハードウェアと協働するソフトウェアによって実現することができる。上述した各実施形態の記述において使用されている各機能ブロックは、ＬＳＩによって集積回路として実現することができ、各実施形態において記述されている各プロセスは、ＬＳＩによって制御することができる。それらは、チップとして個々に形成されてもよく、または、１つのチップが、それら機能ブロックの一部分またはすべてを含むように形成されてもよい。それらは、それらに結合されているデータ入力および出力を含むことができる。本明細書において、ＬＳＩは、集積度の差に応じて、ＩＣ、システムＬＳＩ、スーパーＬＳＩ、またはウルトラＬＳＩとして参照されてもよい。しかしながら、集積回路を実装する技法は、ＬＳＩに限定されず、専用回路または汎用プロセッサを使用することによって実現されてもよい。加えて、ＬＳＩの製造後にプログラムすることができるＦＰＧＡ（フィールドプログラマブルゲートアレイ）、または、ＬＳＩの内部に配置される回路セルの接続および設定を再構成することができる再構成可能プロセッサが使用されてもよい。
【０１０６】
特に、本開示の修正形態および他の実施形態が、上記の記載および関連付けられる図面において提示されている教示の利益を有する当業者に想起されよう。それゆえ、本開示は、開示されている具体的な実施形態に限定されるべきではないこと、および、修正形態および他の実施形態が、本開示の範囲内に含まれることが意図されていることは理解されたい。本明細書において具体的な用語が利用され得るが、それらは包括的かつ説明的な意味においてのみ使用されており、限定を目的とするものではない。
【図１Ａ】
0006905047.tif 000004
【図１Ｂ】
0006905047.tif 000005
【図１Ｃ】
0006905047.tif 000006
【図２Ａ】
0006905047.tif 000007
【図２Ｂ】
0006905047.tif 000008
【図３】
0006905047.tif 000009
【図４Ａ】
0006905047.tif 000010
【図４Ｂ】
0006905047.tif 000011
【図５Ａ】
0006905047.tif 000012
【図５Ｂ】
0006905047.tif 000013
【図６Ａ】
0006905047.tif 000014
【図６Ｂ】
0006905047.tif 000015
【図７】
0006905047.tif 000016
【図８】
0006905047.tif 000017
【図９Ａ】
0006905047.tif 000018
【図９Ｂ】
0006905047.tif 000019
【図１０】
0006905047.tif 000020
【図１１】
0006905047.tif 000021